(57)【特許請求の範囲】
【請求項１】
建物開口部枠の上枠に沿って、該上枠に接して設置され、該上枠の長手方向に沿ってスクリーンの上端部を係止させる多数のフックを摺動自在に係合させる係合溝を設けたレールを備え、
該レールは、長手方向に沿う下端部に上記フックの支持部を摺動自在に係合させる係合溝を備えた型材からなるレール本体と、該レール本体の一端に嵌着固定され、外端面に建物開口部枠の縦枠に形成されたレールの支持面部に対する突当て面が形設された固定エンド部材と、該レール本体の他端に嵌着した端蓋に対してレールの長手方向に摺動自在に、且つ該端蓋との間に上記スプリングを縮設して嵌挿され、外端面に建物開口部枠の縦枠に形成されたレールの支持面部に対する突当て面が形設された可動エンド部材とを備えたものとして、スプリングの付勢力により、両端を建物開口部枠の左右縦枠間に突っ張り状態で固定可能に構成され、
該レール本体は、その長手方向に沿う一方の側面が、上記フックに係止させたスクリーンの上端部を当接させる平坦な当接面であり、
上記レールの係合溝に沿って摺動する各フックは、該係合溝に摺動自在のフックの支持部に、スクリーンの上端に沿って列設した係止孔に嵌入係止させる係止鉤を設けると共に、該係止鉤の先端を延長して、該係止鉤に吊下したスクリーンの上端部を上記レールの当接面に沿って面接触させる保持杆部を連設したものであり、
上記可動エンド部材におけるレール本体に外嵌して摺動する可動部材の外筒に、吊下するスクリーンの端部を該レール本体との間で弾性的に保持するクリップ状部を連設している、
ことを特徴とするスクリーン装置。
【請求項２】
上記レールの建物開口部枠における縦枠への固定が、
左右の縦枠自体の対向位置にそれぞれ設定されたレールの支持面部に対して、上記レールの固定エンド部材及び可動エンド部材の各突当て面を、上記スプリングの付勢力で弾性的に突き当てることによって行う縦枠内側への固定態様と、
上記左右の縦枠の開口側縁の上端部の対向位置を支持面部として該支持面部に保持されるブラケットを用い、該ブラケットは、該支持面部に当接保持させる取付部と、上記レールの側面を上記建物開口部枠の上枠の外側に当接する位置に保持して、該レールの固定エンド部材及び可動エンド部材の各突当て面が上記スプリングの付勢力で弾性的に突き当てられるレール受け部と、上記取付部とレール受け部とを一体的に連結する張出腕部とにより形成されたものとし、一対の上記ブラケットのレール受け部にレールの固定エンド部材と可動エンド部材とをそれぞれ固定し、上記レール内のスプリングの付勢力で両ブラケットの取付部を上記支持面部に弾性的に突き当てることによって行う縦枠外側への固定態様と、
を選択的に採用可能にしている、
ことを特徴とする請求項１に記載のスクリーン装置。
【請求項３】
上記レールにおける固定エンド部材及び可動エンド部材の突当て面、並びに上記ブラケットの取付部における縦枠の支持面部への突当て面に、それぞれ軟質合成樹脂からなるすべり止め部材を付設した、
ことを特徴とする請求項２に記載のスクリーン装置。
【請求項４】
上記レールの係合溝に沿って摺動する上記フックの支持部が、該係合溝の開口幅より小さい幅で該係合溝の開口の両側縁に係合する長さを有していて、その中央部に上記係合溝の開口を通して下方に導出される係止鉤が、該支持部の長手方向を含む平面内で湾曲する平面状に形成して連接されており、該係合鉤は上記係合溝の下方にスクリーンの係止孔を嵌入係止させる最下湾曲点を有し、該係止鉤の先端側のスクリーンをレールの当接面に押圧保持するように湾曲させた保持杆部の手前に、上記最下湾曲点から保持杆部側にスクリーンが移動するのを制限する突部が形成されている、
ことを特徴とする請求項１〜３のいずれかに記載のスクリーン装置。
【請求項５】
上記フックが、弾性的に変形可能な合成樹脂で一体に形成され、上記弾性的な変形によって、上記レールの係合溝の開口を通して該フックの支持部を該係合溝に係脱自在に形成している、
ことを特徴とする請求項４に記載のスクリーン装置。
【発明の詳細な説明】
【技術分野】
【０００１】
本発明は、玄関ドアや勝手口ドア等の内側に設置するのに適し、防虫、断熱、目隠し、装飾等に有効に利用できるスクリーン装置に関するものである。
【背景技術】
【０００２】
網体やカーテン等のスクリーンを建物開口部の上部に架設したレールに摺動自在のランナーによって吊下する場合に、該ランナー自体の形状を工夫して、上記スクリーンの上端と開口部枠の上内面との間に隙間が生じないように保持することは、例えば、特許文献１において提案されている。
しかしながら、スクリーンの上端を開口部枠の上内面に単に突き当てた状態に保持するのでは、該スクリーン自体が剛性を有するものではないために、その姿勢が極めて不安定であって、それらが撓んだ状態になったり、風による揺らぎで湾曲あるいは屈曲して垂れ下がり、それによって、防虫網として使用する場合には虫が侵入する空隙が生じたり、断熱効果を低下させたり、また、スクリーンが見苦しいものになったりするなどの問題がある。
【先行技術文献】
【特許文献】
【０００３】
【特許文献１】特開１０−２２０１４５号公報
【発明の概要】
【発明が解決しようとする課題】
【０００４】
本発明の技術的課題は、レールに沿って摺動自在のフックに係止させて開閉自在とするスクリーンを、簡易な手段で建物開口部に設置するに当たり、該建物開口部の上枠に接するように設置されるレールに張設状態にあるスクリーンの上部を面接触させることにより安定的な密接状態を保持させ、該スクリーンが撓んだ状態になったり、風による揺らぎで湾曲あるいは屈曲して垂れ下がったりすることがなく、従って虫が侵入する空隙が生じたり、断熱効果を低下させたり、また、スクリーンが見苦しいものになったりすることがないようにしたスクリーン装置を提供することにある。
【課題を解決するための手段】
【０００５】
上記課題を解決するため、本発明は、建物開口部枠の上枠に沿って、該上枠に接して設置され、該上枠の長手方向に沿ってスクリーンの上端部を係止させる多数のフックを摺動自在に係合させる係合溝を設けたレールを備え、該レールは、長手方向に沿う下端部に上記フックの支持部を摺動自在に係合させる係合溝を備えた型材からなるレール本体と、該レール本体の一端に嵌着固定され、外端面に建物開口部枠の縦枠に形成されたレールの支持面部に対する突当て面が形設された固定エンド部材と、該レール本体の他端に嵌着した端蓋に対してレールの長手方向に摺動自在に、且つ該端蓋との間に上記スプリングを縮設して嵌挿され、外端面に建物開口部枠の縦枠に形成されたレールの支持面部に対する突当て面が形設された可動エンド部材とを備えたものとして、スプリングの付勢力により、両端を建物開口部枠の左右縦枠間に突っ張り状態で固定可能に構成され、該レール本体は、その長手方向に沿う一方の側面が、上記フックに係止させたスクリーンの上端部を当接させる平坦な当接面であり、上記レールの係合溝に沿って摺動する各フックは、該係合溝に摺動自在のフックの支持部に、スクリーンの上端に沿って列設した係止孔に嵌入係止させる係止鉤を設けると共に、該係止鉤の先端を延長して、該係止鉤に吊下したスクリーンの上端部を上記レールの当接面に沿って面接触させる保持杆部を連設したものであり、上記可動エンド部材におけるレール本体に外嵌して摺動する可動部材の外筒に、吊下するスクリーンの端部を該レール本体との間で弾性的に保持するクリップ状部を連設していることを特徴とするスクリーン装置を提供するものである。
【０００７】
本発明に係るスクリーン装置の他の好ましい実施形態においては、上記レールの建物開口部枠における縦枠への固定が、左右の縦枠自体の対向位置にそれぞれ設定されたレールの支持面部に対して、上記レールの固定エンド部材及び可動エンド部材の各突当て面を、上記スプリングの付勢力で弾性的に突き当てることによって行う縦枠内側への固定態様と、上記左右の縦枠の開口側縁の上端部の対向位置を支持面部として該支持面部に保持されるブラケットを用い、該ブラケットは、該支持面部に当接保持させる取付部と、上記レールの側面を上記建物開口部枠の上枠の外側に当接する位置に保持して、該レールの固定エンド部材及び可動エンド部材の各突当て面が上記スプリングの付勢力で弾性的に突き当てられるレール受け部と、上記取付部とレール受け部とを一体的に連結する張出腕部とにより形成されたものとし、一対の上記ブラケットのレール受け部にレールの固定エンド部材と可動エンド部材とをそれぞれ固定し、上記レール内のスプリングの付勢力で両ブラケットの取付部を上記支持面部に弾性的に突き当てることによって行う縦枠外側への固定態様とを選択的に採用可能に構成される。
【０００８】
上記スクリーン装置においては、上記レールにおける固定エンド部材及び可動エンド部材の突当て面、並びに上記ブラケットの取付部における縦枠の支持面部への突当て面に、それぞれ軟質合成樹脂からなるすべり止め部材を付設するのが望ましい。
【０００９】
また、本発明に係るスクリーン装置の他の好ましい実施形態においては、上記レールの係合溝に沿って摺動する上記フックの支持部が、該係合溝の開口幅より小さい幅で該係合溝の開口の両側縁に係合する長さを有していて、その中央部に上記係合溝の開口を通して下方に導出される係止鉤が、該支持部の長手方向を含む平面内で湾曲する平面状に形成して連接されており、該係合鉤は上記係合溝の下方にスクリーンの係止孔を嵌入係止させる最下湾曲点を有し、該係止鉤の先端側のスクリーンをレールの当接面に押圧保持するように湾曲させた保持杆部の手前に、上記最下湾曲点から保持杆部側にスクリーンが移動するのを制限する突部が形成され、それらが弾性変形する合成樹脂で一体に形成されたものとして構成される。
更に、上記フックが、弾性的に変形可能な合成樹脂で一体に形成され、上記弾性的な変形によって、上記レールの係合溝の開口を通して該フックの支持部を該係合溝に係脱自在に形成することもできる。
【発明の効果】
【００１０】
以上に詳述した本発明のスクリーン装置によれば、レールに沿って摺動自在のフックに係止させて開閉自在とするスクリーンを、簡易な手段で建物開口部に設置するに当たり、該建物開口部の上枠に接するように設置されるレールに張設状態にあるスクリーンの上部を面接触させることにより安定的な密接状態を保持させ、該スクリーンが撓んだ状態になったり、風による揺らぎで湾曲あるいは屈曲して垂れ下がったりすることがなく、従って虫が侵入する空隙が生じたり、断熱効果を低下させたり、また、スクリーンが見苦しいものになったりすることがないようにしたスクリーン装置を得ることができる。
【図面の簡単な説明】
【００１１】
【図１】本発明に係るスクリーン装置を建物開口部枠内において縦枠自体に設置した状態を示す斜視図である。
【図２】上記スクリーン装置におけるスクリーンを取り外した状態の要部斜視図である。
【図３】上記スクリーン装置におけるスクリーンをフックによりレールに吊下した状態の横断面図である。
【図４】上記フックの背面図である。
【図５】（Ａ）は、上記レールにおける可動エンド部材を取り付けた部位の拡大断面図、（Ｂ）は上記（Ａ）と同一部位のスプリングが圧縮された状態を示す拡大断面図である。
【図６】上記図５の（Ａ）におけるＸ−Ｘ矢示位置での断面図である。
【図７】上記レールに取り付ける固定エンド部材の斜視図である。
【図８】上記スクリーン装置をブラケットにより建物開口部枠の上枠の外側に当接する位置に設置した状態を示す斜視図である。
【図９】上記スクリーン装置の図８の取付状態におけるスクリーンを取り外した状態の要部斜視図である。
【図１０】上記ブラケットを用いてスクリーン装置を建物開口部に設置する手法を説明するための平面図である。
【図１１】上記ブラケットを用いてスクリーン装置を建物開口部に設置した状態を示す平面図である。
【図１２】上記ブラケットの斜視図である。
【発明を実施するための形態】
【００１２】
図１〜図７は、本発明に係るスクリーン装置１を建物開口部枠２内において一対の縦枠２ｂ，２ｃ間に直接的に設置する場合の構成を例示し、図８〜図１２は、上記スクリーン装置１をブラケット５により建物開口部枠２の上枠２ａの外側に当接する位置に設置する場合の構成を例示している。
このスクリーン装置１は、玄関ドアや勝手口ドア等の内側に設置するのに適し、防虫、断熱、目隠し、装飾等に有効に利用できるものであるが、それらに限るものではない。
また、上記スクリーン装置１は、その設置を専門業者に依頼しなくても、ユーザー自身が簡易に設置できる構成を備え、特に、建物開口部枠２にねじや釘を打つことなく設置可能にするものである。
【００１３】
上記スクリーン装置１は、上述したように、建物開口部枠２内において上枠２ａに沿うように一対の縦枠２ｂ，２ｃ間に直接的に設置し、あるいは、上記ブラケット５により建物開口部枠２の上枠２ａの外側に当接させて設置できるものであるが、いずれの場合においてもスクリーン装置１自体の構成は変わるところがない。ここでは、まず、図１〜図７を参照して、そのスクリーン装置１の構成について説明する。
【００１４】
このスクリーン装置１は、図１から分かるように、それを構成する主要素として、建物開口部枠２の上枠２ａに沿って、該上枠２ａに接して設置されるレール１０と、該レール１０における係合溝１２に摺動自在に係合させる多数のフック２５と、該フック２５に係止させるスクリーン７とを備えている。
スクリーン装置１における上記レール１０は、図３及び図６に示すように、長手方向に沿う下端部に上記フック２５を摺動自在に係合させる係合溝１２を備えた金属型材からなる一定断面形状のレール本体１１と、該レール本体１１の一端に嵌着固定される図７に示すような固定エンド部材１３と、図２及び図５，６に示すように、該レール本体１１の他端に嵌着した端蓋１７、及び該端蓋１７の周囲に外嵌し、該端蓋１７に対してレールの長手方向に摺動自在に、且つ該端蓋１７との間に上記スプリング２０を縮設して嵌挿された可動部材１８からなる可動エンド部材１６とを備えている。上記レール本体１１は合成樹脂製であってもよい。
【００１５】
上記レール１０を形成する各部材の構成を更に具体的に説明すると、図２及び図３に示すように、上記レール本体１１は、その上面１１ａを建物開口部枠２の上枠２ａの下面に当接して取り付けるための平面とし、また該レール本体１１の長手方向に沿う一対の側面１１ｂ，１１ｃを、上記上面１１ａの両側から垂直に垂下する平面とし、それらの側面１１ｂ，１１ｃの下端を円弧状曲面によって繋ぎ、その下端に多数のフック２５を摺動自在に係合させる上記係合溝１２の開口１２ａを設けている。従って、図６において明瞭なように、上記レール本体１１は、その中心線、つまり上記係合溝１２の開口１２ａの中心線の両側において対称形をなしている。
【００１６】
上記レール本体１１の一方の側面１１ｂは、ここでは上述のように平面としているが、上記フック２５に係止させたスクリーン７の上端部を該フック２５の作用により面接触させる平坦な当接面であることが必要であり、また、他方の側面１１ｃは、図８及び図９等によって後述するように、上記上枠２ａの外面に接して配設可能な面であることが必要であり、いずれも上記平面に形成しても差し支えないものであるが、スクリーン７の当接面あるいは上枠２ａ外面への当接面として使用できるものであれば、上記平面に限るものではない。また、レール本体１１の両側面１１ｂ，１１ｃを上記いずれの当接面としても利用できる図３及び図６のような平面にしておけば、スクリーン装置１の設置に際してレール本体１１の向きを考慮する必要がない。
【００１７】
上記レール本体１１の一端に嵌着固定する固定エンド部材１３は、図７に示すように、レール本体１１に外嵌する筒状部１４ａと該レール本体１１の周壁内に嵌装できる連結筒部１４ｂとを合成樹脂で一体に成形した部材本体１４を備え、該部材本体１４の外端面に軟質合成樹脂からなるすべり止め部材１５を付設して、建物開口部枠２の縦枠２ｂまたは縦枠２ｃに形成されたレール１０の支持面部２ｄ，２ｅ（図２参照）に対する突当て面を形設したものである。この固定エンド部材１３は、レール本体１１における一端に連結筒部１４ｂを嵌入すると共に、該レール本体１１の端部に筒状部１４ａを外嵌させ、それらをレール本体１１の端部に対して圧入することにより取り付けられるものである。なお、上記すべり止め部材１５を省略して、部材本体１４自体の外端面にレール１０の支持面部２ｄ，２ｅに対する突当て面を形設することもできる。
【００１８】
また、上記レール本体１１の他端に取り付ける可動エンド部材１６は、図５の（Ａ）及び（Ｂ）並びに図６に示すように、レール本体１１の端部に嵌着可能で中央に円筒状の嵌挿孔１７ａを有する端蓋１７と、該端蓋１７の嵌挿孔１７ａに対してレール本体１１の長手方向に摺動自在に嵌挿される内筒１８ｂを備えると共に、レール本体１１の端部に摺動自在に外嵌する外筒１８ａを備えた可動部材１８と、該可動部材１８と上記端蓋１７との間に縮設したスプリング２０によって構成されたものである。なお、上記外筒１８ａは上面側のみが開いた筒状をなすものである。
【００１９】
上記スプリング２０は、具体的には、上記可動部材１８の内筒１８ｂの内端と、上記端蓋１７の嵌挿孔１７ａの内端に該孔１７ａを横切る状態で架設したばね受け１７ｂとの間に縮設したものである。該スプリング２０によって可動部材１８をレール本体１１から脱出する方向に付勢しているので、図５の（Ａ）及び（Ｂ）から分かるように、可動部材１８の外筒１８ａに端蓋１７の一部と係合して可動部材１８がレール本体１１から脱出するのを抑止する鉤部１８ｃを設けている。また、図５の（Ａ）及び（Ｂ）に示すように、可動部材１８の内筒１８ｂが上記端蓋１７の嵌挿孔１７ａ内に押入されたときに、該内筒１８ｂがばね受け１７ｂと干渉するのを避けるため、該内筒１８ｂにばね受け１７ｂとの接触を避ける切り込み１８ｄを設けている。更に、図１及び図６から分かるように、上記可動部材１８におけるレール本体１１に外嵌して摺動する外筒１８ａには、レール１０に吊下するスクリーン７の端部を該レール本体１１との間で弾性的に保持するクリップ状部１８ｅを連設している。
【００２０】
この可動エンド部材１６においても、可動部材１８の上記外筒１８ａと内筒１８ｂとを合成樹脂で一体に成形し、該可動部材１８の外端面に、固定エンド部材１３に付設したのと同形状の軟質合成樹脂からなるすべり止め部材１５を付設して、建物開口部枠２の縦枠２ｂまたは縦枠２ｃに形成されたレール１０の支持面部２ｄ，２ｅに対する突当て面を形設しているが、該すべり止め部材１５を省略して可動部材１８自体の外端面にレール１０の支持面部２ｄ，２ｅに対する突当て面を形設することもできる。従って、この可動エンド部材１６における突当て面は、固定エンド部材１３におけるそれと同形状である。
【００２１】
上記構成を有するレール１０を建物開口部枠２における縦枠２ｂ，２ｃ間に取り付けるには、レール本体１１の端部に取り付けている可動エンド部材１６の外端面の突当て面を建物開口部枠２の縦枠２ｂ，２ｃの一方における支持面部２ｄまたは２ｅに突き当て、図５の（Ｂ）に示すようにスプリング２０を圧縮して、レール本体１１に取り付けた固定エンド部材１３の突当て面を、縦枠の他方の支持面部に当接できる位置まで移動させて解放すればよく、これにより、建物開口部枠２の上枠２ａに沿って設置されるレール１０は、その内部に収容したスプリング２０の付勢力により左右縦枠２ｂ，２ｃ間に突っ張り状態で固定される。
【００２２】
上述したレール１０の係合溝１２には、スクリーン７の上端部を係止させる多数のフック２５を摺動自在に係合させるが、該フック２５は、図３に明瞭に示すように該係合溝１２に摺動自在に係合する支持部２６に、スクリーン７の上端に沿って列設した係止孔７ａに嵌入係止させる係合鉤２７を設けると共に、該係合鉤２７の先端を延長して、該係合鉤２７に吊下したスクリーン７の上端部を上記レール本体１１の当接面である側面１１ｂに沿って面接触させる保持杆部２８を連設している。
【００２３】
更に具体的に説明すると、上記フック２５の支持部２６は、図３及び図４に示すように、係合溝１２の開口幅より小さい幅で該係合溝１２の開口１２ａの両側縁に係合する長さをもつ短い棒状をなしていて、その中央部に、上記係合溝１２の開口１２ａを通して下方に導出される係合鉤２７の基部が連結され、そして、該係合鉤２７は上記支持部２６にその長手方向を含む平面内で湾曲する平面状に形成して連接されている。該係合鉤２７は、上記係合溝１２の下方にスクリーン７の係止孔７ａを嵌入係止させる最下湾曲点２７ａを有し、しかも、該係合鉤２７の先端側に連設してスクリーン７をレール本体１１の当接面に押圧保持するように湾曲させた保持杆部２８の係合鉤２７側には、上記最下湾曲点２７ａに嵌入係止させたスクリーン７が保持杆部２８側に移動するのを制限する突部２８ａ，２８ｂを設けている。具体的に、該突部２８ａの一対は、係合鉤２７と保持杆部２８との間において、保持杆部２８の幅を係合鉤２７の幅より拡大することにより該保持杆部２８の端部に形成されたものであり、突部２８ｂは、保持杆部２８の係合鉤２７に近い位置においてスクリーン７に向けて突出させて設けたものである。
【００２４】
上記フック２５はかかる構成を有し、特に上記保持杆部２８によりスクリーン７をレール本体１１に面接触させるようにしているため、該レール本体１１に安定的な密接状態に保持され、係合鉤２７に係止孔７ａを嵌入係止させたスクリーン７に風その他の外力が作用して該スクリーンの姿勢が乱れても、その外力が消失したときには、該スクリーン７の自重により該係合鉤２７が図３に示すような本来の姿勢に復帰し、スクリーン７の上端がレール本体１１の当接面に殆ど隙間がない状態で面接触することになる。上記スクリーン７は、少なくともその上端部にはギャザー、タックその他の襞や皺が生じる凹凸を設けていないもので、それを上記レール１０に沿って張設したときには、その上端部がレールに沿って当接するものとして構成されたものである。
【００２５】
また、上記フック２５は、弾性的に変形可能な合成樹脂で一体に形成され、そのため、支持部２６の長手方向を係合溝１２の開口１２ａの方向に合わせた状態で、上記弾性的な変形によって係合鉤２７及び保持杆部２８を側方に編寄させ、その状態で支持部２６を係合溝１２内に押入したうえで、係合溝１２内で該支持部２６を該係合溝１２と直交する方向に転向させることにより、該フック２５の支持部２６を該係合溝１２に係合させることができる。上記とは逆の手順でフック２５を取り外すこともできる。
なお、上述したレール１０に対するフック２５の取り付けの手順は、レール本体１１に固定エンド部材１３及び可動エンド部材１６を取り付けた後の状態での該フック２５の取付手順であるが、レール本体１１に対する固定エンド部材１３及び可動エンド部材１６の取り付け前においては、該フック２５をレール本体１１の端部から自由に挿入することができる。
【００２６】
以上においては、図１〜図７を参照して、スクリーン装置１を建物開口部枠２内で一対の縦枠２ｂ，２ｃ間に直接的に設置する場合について説明したが、上記スクリーン装置１は、図８〜図１２に示すように、ブラケット５により建物開口部枠２の上枠２ａの外側に当接する位置に設置することができる。但し、上記スクリーン装置１を建物開口部枠２の外側に当接する位置に設置する場合には、図８、図９及び図１１に示すように、スクリーン７の両端が建物開口部枠２における左右縦枠２ｂ，２ｃを覆うようにするのが望ましく、そのため、図１〜図７のような態様でスクリーン装置１を設置する場合に比して、レール本体１１の長さ及びスクリーン７の横幅をそれだけ大きくしておく必要がある。
【００２７】
上記図１〜図７に示す上記スクリーン装置１の固定態様は、左右の縦枠２ｂ，２ｃ自体の内側面の対向位置にスクリーン装置１を固定するものであるため、ここではそれを縦枠内側への固定態様と呼び、また、図８〜図１２の固定態様は、左右の縦枠２ｂ，２ｃの外側に位置するようにスクリーン装置１を固定するものであるため、ここではそれを縦枠外側への固定態様と呼ぶことにする。
【００２８】
上記縦枠外側への固定態様において用いられる一対のブラケット５は、図８〜図１２に示すように、建物開口部枠２の縦枠２ｂ，２ｃにおける支持面部２ｄ，２ｅにそれぞれ当接保持させる取付部３０と、上記レール１０を上記建物開口部枠２の上枠２ａの外側に当接する位置にレール１０を保持するように上記取付部３０の側方に突出するように形成されたレール受け部３１と、上記取付部３０とレール受け部３１とを一体的に連結する張出腕部３２とにより形成されたものであり、それらを合成樹脂で一体に成形している。
【００２９】
上記取付部３０は、縦枠２ｂ，２ｃの支持面部２ｄ，２ｅへの突当て面を、固定エンド部材１３や可動エンド部材１６にそれぞれ付設したのと同形状の軟質合成樹脂からなるすべり止め部材１５を付設することにより形成しているが、該すべり止め部材１５を省略して、取付部３０自体に可動部材１８自体の外端面にレール１０の支持面部２ｄ，２ｅに対する突当て面を形設することもできる。
【００３０】
また、上記レール受け部３１は、該レール１０における固定エンド部材１３及び可動エンド部材１６の各突当て面が上記スプリング２０の付勢力で弾性的に突き当てられるものであるが、該レール受け部３１にそれらの突当て面を受け入れる凹部３１ａを備え、該レール受け部３１の中央に設けたねじ孔３３を通して、該凹部３１ａに嵌入した固定エンド部材１３及び可動エンド部材１６の突当て面の孔３４，３５（図５及び図７参照）に対してねじ３６を螺挿することにより、それらを一体化して、レール１０の設置状態の安定化を図れるようにしている。
【００３１】
なお、上記レール受け部３１における固定エンド部材１３及び可動エンド部材１６の各突当て面を受け入れる凹部３１ａは、取付部３０側の壁面を切除することにより、固定エンド部材１３及び可動エンド部材１６が建物開口部枠２の上枠２ａに当接するようにしているが、レール本体１１と上記上枠２ａとの間に僅かな隙間が生じても、それによってスクリーン７の機能が損なわれることはない。
【００３２】
上記スクリーン装置１は、縦枠内側への固定態様と縦枠外側への固定態様とを選択的に採用可能にしているが、このような構成は、建物開口部枠２の形状、構造等に起因して、このスクリーン装置１の設置に不都合が生じる可能性がある場合、あるいは、このスクリーン装置１の設置者に固定態様についての選択肢を与えるために有効なものである。
【００３３】
上記構成を有するスクリーン装置を建物開口部枠２に設置するに際しては、図１及び図８に示すように、スクリーン７の一端を建物開口部枠２の一方の縦枠２ｂに対してマグネットで吸着される取付材４０等により固定し、スクリーン７の他端には、上記レール本体１１の係合溝１２に摺動自在に係合する吊下具４２により吊下させた操作杆４１を取り付け、該操作杆４１の手動操作によって開閉可能にするものである。スクリーン７を張設状態に保持するため、該操作杆４１には必要に応じてラッチ用マグネット４３を取り付け、建物開口部枠２における該マグネット４３に対応する位置に、それに吸着される吸着板４４が固定される。しかしながら、これらは必ずしも必要がない。
【００３４】
ここで、上記図８〜図１２に示したスクリーン装置１のその他の構成及び作用は、実質的に図１〜図７で説明したスクリーン装置１と同一であるから、同一部分または相当部分に同一符号を付して、それらの説明を省略する。
【００３５】
このような構成を有するスクリーン装置１によれば、レールに沿って摺動自在のフック２５に係止させて開閉自在とするスクリーン７を、簡易な手段で建物開口部に設置するに当たり、張設状態にあるスクリーン７の上部をレール１０に密接させることにより、該スクリーン７が撓んだ状態になったり、風による揺らぎで湾曲あるいは屈曲して垂れ下がったりして、見苦しくなることがない。
また、建物開口部枠２には、場合によって、マグネット４３に吸着される吸着板４４を取り付ける程度の小さな釘孔ができる程度で、スクリーン装置１を取り付けるための固定ねじや釘を打つことなく、建物開口部の損傷等をなくすことができる。
【符号の説明】
【００３６】
１      スクリーン装置
２      建物開口部枠
２ａ    上枠
２ｂ，２ｃ    縦枠
７      スクリーン
７ａ    係止孔
１０      レール
１１ｂ，１１ｃ    側面
１２      係合溝
２０      スプリング
２５      フック
２６      支持部
２７      係合鉤
２８      保持杆部
【図１】
0005730796.tif 000002
【図２】
0005730796.tif 000003
【図３】
0005730796.tif 000004
【図４】
0005730796.tif 000005
【図５】
0005730796.tif 000006
【図６】
0005730796.tif 000007
【図７】
0005730796.tif 000008
【図８】
0005730796.tif 000009
【図９】
0005730796.tif 000010
【図１０】
0005730796.tif 000011
【図１１】
0005730796.tif 000012
【図１２】
0005730796.tif 000013